(57)【要約】 【課題】調整可能な角度を有する机の構造を提供する。【解決手段】本発明に係る調整可能な角度を有する机の構造は、主に体積が大寸法となり従って比較的に空間占有度が大きいＯＡオフィス家具のような机に対して底部に角度調整ユニットが結合され、机を折り畳もうとする時に机天板の底部の角度調整ユニットを介して方向開放を行い、そして机天板が所定の傾斜度で回転すると共に、回転状態の角度位置決めが完了した後、角度調整ユニットにより方向制限を行うことで、机を所定の角度調整の傾斜度で折り畳むと共に、空間を邪魔しない箇所に積み重ねることができる。【選択図】図１
2015139662.tif 000002
【特許請求の範囲】
【請求項１】
調整可能な角度を有する机の構造であって、
机の底部に結合された角度調整ユニットは、机天板と、左右側担持枠架と、２本の牽制シャフトと、握持レバーと、入字形机脚と、２つの補助連結具と、前幕板とから構成され、
前記机天板の底部の両側に、前記左右側担持枠架が取り付けられ、前記左右側担持枠架の間に前記２本の牽制シャフトの可動嵌合が許容され、
前記左右側担持枠架は、下近傍部位に設けられた支承部と、上近傍部位に設けられた覆設部とから構成され、前記支承部の所定の区間の両傍に枠縁が形成され、また前記所定の区間の間に上向きに一節の突起柱が形成されることにより、前記２本の牽制シャフトの安定嵌合が図られると共に、前記支承部の一側に左右規制側壁が形成され、また前記左右規制側壁の中間区間から前面に延出する一節の制限凸部が突設されることにより、その間に前記２本の牽制シャフトの前端を担持するための緩衝枠の架設が許容され、前記覆設部の両傍に下向きに枠縁が延設され、また両傍の枠縁の間の所定の部位に、複数個の孔が形成されることにより、前記入字形机脚を前記覆設部の枠縁の間に嵌合するのを許容して、前記覆設部と前記入字形机脚の相応する孔を複数本のピンシャフトにより貫通するようにし、
前記２本の牽制シャフトの中間区間に所定の長さの溝孔が形成されることにより、前記支承部の前記一節の突起柱の食い込みが許容されると共に、螺着部材にワッシャを介装してから、前記螺着部材を前記一節の突起柱に回転螺入させることによって、前記２本の牽制シャフトは、前記左右側担持枠架の間に、所定の範囲における前後移動が可能とされ、また前記２本の牽制シャフトの前向きの一端に一節の当着部が延設され、前記一節の当着部は、前記支承部の一側の前記緩衝枠により適切に担持され、また前記緩衝枠の間に進退自在に介設され、前記一節の当着部に近接する一端に、ばねを掛止するための環状部が形成され、またばねの他端が前記緩衝枠の一端に掛止することによって、前記２本の牽制シャフトを前向きの規制状態を常に保持させ、かつ握持レバーの方向結合として、前記２本の牽制シャフトの後面近傍の一端に、継合環状具及び蓋体を嵌合するための管段が形成され、
前記入字形机脚の上向きの一端に一節の連接部が形成され、前記一節の連接部の周縁の所定の区間に少なくとも２本またはそれ以上の凹部が凹設されることにより、前記２本の牽制シャフトの一端の前記一節の当着部が適時に方向食い込むのを許容すると共に、前記一節の連接部の層面の中間部位に孔が貫設され、また所定の範囲に相応する２本の弧形溝が形成されることにより、前記一節の連接部を前記覆設部の間に嵌合するのを許容して、前記一節の連接部と前記覆設部との相応する孔／または条溝を前記複数本のピンシャフトにより貫通するようにし、及び前記複数本のピンシャフトの各本の両外側にＣ字形釦で方向制限するようにし、
前記２つの補助連結具の上向きの一側は、前記机天板の底部に凭れ掛けられ、また前記螺着部材により前記机天板の相応部位に締め付けを施し、一方、前記２つの補助連結具の下向きの一側は、第２連結部が枢設されることにより、前記前幕板の背部に凭れ掛けられると共に、前記螺着部材により前記前幕板の相応部位に締め付けを施し、かつ前記入字形机脚の前面近傍の一側の所定の区間に一節のシャフト段が枢設されると共に、前記一節のシャフト段の一端が第３連結部に可動結合されることにより、前記前幕板の背部の下付近部位に凭れ掛けられ、また前記螺着部材により前記前幕板の相応部位に締め付けを施し、
前記構成の前記角度調整ユニットを前記机天板と前記前幕板とを方向結合させ、前記机天板を折り畳む必要がある場合には、手で前記握持レバーを外向きに引っ張ると、前記２本の牽制シャフトを左右側担持枠架に沿って移動し出すように連動すると共に、前記２本の牽制シャフトの前端の前記当着部を前記入字形机脚の一端の前記一節の連接部の前記少なくとも２本またはそれ以上の凹部から脱離するようにさせることにより、前記机天板が自由状態に形成されると共に、上向きに所定の傾斜度で回転し、前記握持レバーを内向きに押し込むと、前記２本の牽制シャフトを前移動させると共に、一端の前記一節の当着部を相応方向の前記連接部の前記少なくとも２本またはそれ以上の凹部に食い込ませることにより、前記机天板を所定の傾斜度で折り畳むと共に、確実な方向制限を保持することにより、単一／または複数台の前記机を傾斜に折り畳んだ後、空間を邪魔しない箇所に積み重ねることを特徴とする、調整可能な角度を有する机の構造。
【請求項２】
前記支承部の一側に架設された前記緩衝枠は、枠架と、担持部とを備え、前記枠架の上端に孔を有する一節の凸部が延設されることにより、ばねの一端を掛止するのを許容して、ばねの他端を前記２本の牽制シャフトの一端の前記環状部に掛止し、適切な柔軟性を有する前記担持部を前記枠架の間に嵌合すると共に、前記担持部の下端に条溝を有する一節の凸部が延設されることにより、前記条溝に前記支承部の相応部位の前記一節の制限凸部が食い込むのを許容して、前記緩衝枠に前記２本の牽制シャフトが安定嵌合するのを許容すると共に、適切な弾性移動を保持することを特徴とする、請求項１に記載の調整可能な角度を有する机の構造。
【請求項３】
前記机天板の底部に取り付けられた前記２つの補助連結具の一端と前記第２連結部は、前記複数本のピンシャフト／または前記螺着部材で方向枢支するようにすることを特徴とする、請求項１に記載の調整可能な角度を有する机の構造。
【請求項４】
前記入字形机脚の前面近傍の一側の前記一節のシャフト段と前記第３連結部は、前記複数本のピンシャフト／または前記螺着部材で方向枢支するようにすることを特徴とする、請求項１に記載の調整可能な角度を有する机の構造。
【請求項５】
前記入字形机脚の一端の前記連接部を嵌合するのを許容する前記覆設部の両傍の前記枠縁は、側蓋と結合することを特徴とする、請求項１に記載の調整可能な角度を有する机の構造。
【請求項６】
前記支承部及び前記覆設部を備える前記左右側担持枠架を前記２本の牽制シャフトに嵌合した後の相互位置決めは、複数本の前記螺着部材で方向締め付けを行うことを特徴とする、請求項１に記載の調整可能な角度を有する机の構造。
【請求項７】
前記左右側担持枠架と前記机天板の底部の両側との取り付けは、複数本の前記螺着部材で覆設部を貫通すると共に、前記机天板の相応部位に締め付けることを特徴とする、請求項１に記載の調整可能な角度を有する机の構造。
【請求項８】
前記入字形机脚の上向きの一端の前記一節の連接部は、後面付近に隣接された部位の凹部の適宜間隔箇所に、適切な柔軟性を有する阻止ブロックを結合するのを許容して、相隣する前記左右側担持枠架の間の前記支承部の一側に切欠口が凹設されることにより、前記机天板を正常に架設する場合には、前記支承部を前記阻止ブロックを跨ぐように配置され、また前記机天板を上向きに傾斜に折り畳む必要がある場合には、前記支承部の前記切欠口に前記阻止ブロックが通過して上回転移動すると共に、互いに積み重ねた前記机天板を搬入する時に適切な間隔置きに凭れ掛けるのを許容することにより、前記机天板の表面に擦り傷が生じるのを避けることができることを特徴とする、請求項１に記載の調整可能な角度を有する机の構造。
【発明の詳細な説明】
【技術分野】
【０００１】
本発明は、調整可能な角度を有する机の構造に係り、主に体積が大寸法で重さが重いＯＡオフィス家具のような机に対して底部に角度調整ユニットが結合され、机を折り畳もうとする時に机天板の底部の角度調整ユニットを介して方向開放を行い、そして机天板が所定の傾斜度で回転すると共に、回転状態が完了した後の角度調整ユニットにより方向制限を行うことで、単一／または複数台の机を所定の傾斜度で折り畳むと共に、空間を邪魔しない箇所に積み重ねることができる、調整可能な角度を有する机の構造に関するものである。
【背景技術】
【０００２】
現在、関連業者が製作する机は、異なる機能に応じるため、さまざまな応用用途で使用可能な机の組立体（例えば、ＯＡオフィス形式の机、木製のオフィス机や一般の金属製机等）が成形され、そのうち、大部分の机の組立体では、使用時に通常、水平状態の架設が要求される一方、不使用時にまず机全体／または複数台の机の机脚を机の底部に入れるように折り曲げて空間を邪魔しない箇所に積み重ねる（このような机脚を折り曲げることができるもののうち、大半は、重さが軽いプラスチック製机天板の机／または体積が小寸法の机であり、例えば、業務用テーブル（飲食店）、屋外用テーブル（室外に置ける祭礼用供物テーブル）、や通常の家庭用テーブル（キッチンテーブル）等が挙げられる）。また、積み重ねしないで壁の隅に置いて使用するもの（体積が大寸法で重さが重いＯＡオフィス家具のような机）もあるので、後述のように、単一／または複数台の机を不使用時に互いに積み重ねることができない問題がある。
【発明の概要】
【発明が解決しようとする課題】
【０００３】
ここで、本発明は、上に言及したように、ＯＡオフィス家具のような机を不使用時に積み重ねるように実施するために生じる問題を解消してさらなる改善を図るものであり、体積が大寸法で重さが重い従来の机を積み重ねる必要がある場合でも、簡便な操作でこのような机を折り畳むと共に、空間を邪魔しない箇所に積み重ねることができる、組立体の設置が望ましい。
【０００４】
本発明は、従来の体積が大寸法で重さが重いＯＡオフィス家具のような机の収納・展開を実施するために生じる不便をさらに改善するため、机の底部に角度調整ユニットが結合され、机を折り畳もうとする時に角度調整ユニットを介して、まず机天板が所定の傾斜度で回転すると共に、回転状態が完了した後の角度調整ユニットにより方向制限を行うことで、単一／または複数台の机を所定の傾斜度で折り畳むと共に、空間を邪魔しない箇所に積み重ねることができる、調整可能な角度を有する机の構造が採用される。
【課題を解決するための手段】
【０００５】
本発明の主な目的は、机の底部に結合された角度調整ユニットは、机天板と、左右側担持枠架と、２本の牽制シャフトと、握持レバーと、入字形机脚と、２つの補助連結具と、前幕板とから構成され、そのうち、前記机天板の底部の両側に、左右側担持枠架が取り付けられ、左右側担持枠架の間に牽制シャフトの可動嵌合が許容され、前記左右側担持枠架は、下近傍部位に設けられた支承部と、上近傍部位に設けられた覆設部とから構成され、支承部の所定の区間の両傍に枠縁が形成され、また前記所定の区間の間に上向きに一節の突起柱が形成されることにより、牽制シャフトの安定嵌合が図られると共に、支承部の一側に左右規制側壁が形成され、また左右規制側壁の中間区間から前面に延出する一節の制限凸部が突設されることにより、その間に牽制シャフトの前端を担持するための緩衝枠の架設が許容され、覆設部の両傍に下向きに枠縁が延設され、また両傍の枠縁の間の所定の部位に、複数個の孔が形成されることにより、入字形机脚を覆設部の枠縁の間に嵌合するのを許容して、２つの部品の相応する孔を複数本のピンシャフトにより貫通するようにし、前記牽制シャフトの中間区間に所定の長さの溝孔が形成されることにより、前記支承部の突起柱の食い込みが許容されると共に、螺着部材にワッシャを介装してから、前記螺着部材を突起柱に回転螺入させることによって、２本の牽制シャフトは、左右側担持枠架の間に、所定の範囲における前後移動が可能とされ、また牽制シャフトの前向きの一端に一節の当着部が延設され、前記一節の当着部は、前記支承部の一側の緩衝枠により適切に担持され、またその間に進退自在に介設され、当着部に近接する一端に、ばねを掛止するための環状部が形成され、またばねの他端が緩衝枠の一端に掛止することによって、牽制シャフトを前向きの規制状態を常に保持させ、かつ握持レバーの方向結合として、牽制シャフトの後面近傍の一端に、継合環状具及び蓋体を嵌合するための管段が形成され、前記入字形机脚の上向きの一端に一節の連接部が形成され、連接部の周縁の所定の区間に少なくとも２本またはそれ以上の凹部が凹設されることにより、牽制シャフトの一端の当着部が適時に方向食い込むのを許容すると共に、連接部の層面の中間部位に孔が貫設され、また所定の範囲に相応する２本の弧形溝が形成されることにより、連接部を前記覆設部の間に嵌合するのを許容して、２つの部品の相応する孔／または条溝を複数本のピンシャフトにより貫通するようにし、及び前記複数本のピンシャフトの各本の両外側にＣ字形釦で方向制限するようにし、前記補助連結具の上向きの一側は、机天板の底部に凭れ掛けられ、また螺着部材により机天板の相応部位に締め付けを施し、一方、補助連結具の下向きの一側は、第２連結部が枢設されることにより、前幕板の背部に凭れ掛けられると共に、螺着部材により前幕板の相応部位に締め付けを施し、かつ入字形机脚の前面近傍の一側の所定の区間に一節のシャフト段が枢設されると共に、シャフト段の一端が第３連結部に可動結合されることにより、前幕板の背部の下付近部位に凭れ掛けられ、また螺着部材により前幕板の相応部位に締め付けを施し、前記構成の角度調整ユニットを机天板と前幕板とを方向結合させ、机天板を折り畳む必要がある場合には、手で握持レバーを外向きに引っ張ると、２本の牽制シャフトを左右側担持枠架に沿って移動し出すように連動すると共に、牽制シャフトの前端の当着部を入字形机脚の一端の連接部の凹部から脱離するようにさせることにより、前記机天板が自由状態に形成されると共に、上向きに所定の傾斜度で回転し、握持レバーを内向きに押し込むと、２本の牽制シャフトを前移動させると共に、一端の当着部を相応方向の連接部の凹部に食い込ませることにより、机天板を所定の傾斜度で折り畳むと共に、確実な方向制限を保持することにより、単一／または複数台の前記机を傾斜に折り畳んだ後、空間を邪魔しない箇所に積み重ねることができる、調整可能な角度を有する机の構造を提供することである。
【０００６】
本発明の第２の目的は、支承部の一側に架設された緩衝枠は、枠架と、担持部とを備え、前記枠架の上端に孔を有する一節の凸部が延設されることにより、ばねの一端を掛止するのを許容して、ばねの他端を牽制シャフトの一端の環状部に掛止し、適切な柔軟性を有する担持部を枠架の間に嵌合すると共に、担持部の下端に条溝を有する一節の凸部が延設されることにより、条溝に支承部の相応部位の制限凸部が食い込むのを許容して、緩衝枠に牽制シャフトが安定嵌合するのを許容すると共に、適切な弾性移動を保持することができる、調整可能な角度を有する机の構造を提供することである。
【０００７】
本発明の第３の目的は、机天板の底部に取り付けられた補助連結具の一端と第２連結部は、ピンシャフト／または螺着部材で方向枢支するようにすることができる、調整可能な角度を有する机の構造を提供することである。
【０００８】
本発明の第４の目的は、入字形机脚の前面近傍の一側のシャフト段と第３連結部は、ピンシャフト／または螺着部材で方向枢支するようにすることができる、調整可能な角度を有する机の構造を提供することである。
【０００９】
本発明の第５の目的は、入字形机脚の一端の連接部を嵌合するのを許容する覆設部の両傍の枠縁は、側蓋と結合することができる、調整可能な角度を有する机の構造を提供することである。
【００１０】
本発明の第６の目的は、支承部及び覆設部を備える左右側担持枠架を牽制シャフトに嵌合した後の相互位置決めは、複数本の螺着部材で方向締め付けを行うことができる、調整可能な角度を有する机の構造を提供することである。
【００１１】
本発明の第７の目的は、左右側担持枠架と机天板の底部の両側との取り付けは、複数本の螺着部材で覆設部を貫通すると共に、机天板の相応部位に締め付けることができる、調整可能な角度を有する机の構造を提供することである。
【００１２】
本発明の第８の目的は、入字形机脚の上向きの一端の連接部は、後面付近に隣接された部位の凹部の適宜間隔箇所に、適切な柔軟性を有する阻止ブロックを結合するのを許容して、相隣する左右側担持枠架の間の支承部の一側に切欠口が凹設されることにより、机天板を正常に架設する場合には、支承部を阻止ブロックを跨ぐように配置され、また机天板を上向きに傾斜に折り畳む必要がある場合には、支承部の切欠口に阻止ブロックが通過して上回転移動すると共に、互いに積み重ねた机天板を搬入する時に適切な間隔置きに凭れ掛けるのを許容することにより、机天板の表面に擦り傷が生じることを避けることができる、調整可能な角度を有する机の構造を提供することである。
【図面の簡単な説明】
【００１３】
【図１】本発明の机の角度調整構成の部品分解図である。
【図２】図１のＡ部位の拡大詳細図である。
【図３】図１のＢ部位の拡大詳細図である。
【図４】本発明に係る机と角度調整構成との結合構成を示す斜視図である。
【図５】本発明に係る机と角度調整構成との結合構成を示す底面斜視図である。
【図６】本発明に係る机と角度調整構成との結合構成を示す側面模式図である。
【図７】本発明の机の角度調整構成の部分断面図（定位置状態）である。
【図８】図７のＣ部位の拡大詳細図である。
【図９】本発明の机の角度調整構成の折り畳み実施態様のステップ１を示す模式図である。
【図１０】図９のＤ部位の拡大詳細図である。
【図１１】本発明の机の角度調整構成の折り畳み実施態様のステップ２を示す模式図である。
【図１２】図１１のＥ部位の拡大詳細図である。
【図１３】本発明の机の角度調整構成の折り畳み実施態様のステップ３を示す模式図である。
【図１４】図１３のＦ部位の拡大詳細図である。
【図１５】本発明の机の角度調整構成の折り畳み完了した後、それを一側に向けて互いに積み重ねる実施態様を示す模式図である。
【図１６】本発明の机を互いに積み重ねて凭れ掛けた際の実施態様を示す模式図である。
【発明を実施するための形態】
【００１４】
本発明が設計する調整可能な角度を有する机の構造（図１参照）において、机の底部に結合された角度調整ユニット９は、机天板１と、左右側担持枠架４と、２本の牽制シャフト５と、握持レバー６と、入字形机脚７と、２つの補助連結具８と、前幕板１１とから構成される。
【００１５】
また、前記机天板１の底部の両側に、左右側担持枠架４が取り付けられると共に、左右側担持枠架４の間に牽制シャフト５の可動嵌合が許容される。
【００１６】
なお、前記左右側担持枠架４は、下近傍部位に設けられた支承部２と、上近傍部位に設けられた覆設部３とから構成され（図２参照）、支承部２の所定の区間の両傍に枠縁２１が形成され、また前記所定の区間の間に上向きに一節の突起柱２２が形成されることにより、牽制シャフト５の安定嵌合が図られると共に、支承部２の一側に左右規制側壁２３が形成され、また規制側壁２３の中間区間から前面に延出する一節の制限凸部２４が突設されることにより、その間に牽制シャフト５の前端を担持するための緩衝枠２５の架設が許容され、覆設部３の両傍に下向きに枠縁３１が延設され、また両傍の枠縁３１の間の所定の部位に、複数個の孔３２が形成されることにより、入字形机脚７を覆設部３の枠縁３１の間に嵌合するのを許容して、２つの部品の相応する孔を複数本のピンシャフト３３により貫通するようにする。
【００１７】
支承部２の一側に架設された緩衝枠２５は、枠架２５１と、担持部２５２とを備え、前記枠架２５１の上端に孔を有する一節の凸部２５１１が延設されることにより、ばね２５３の一端を凸部２５１１に掛止するのを許容して、ばね２５３の他端を牽制シャフト５の一端の環状部５５に掛止し、適切な柔軟性を有する担持部２５２を枠架２５１の間に嵌合すると共に、担持部２５２の下端に条溝２５２２を有する一節の凸部２５２１が延設されることにより、条溝２５２２に支承部２の相応部位の制限凸部２４が食い込むのを許容して、緩衝枠２５に牽制シャフト５が安定嵌合するのを許容すると共に、適切な弾性移動を保持することができる。
【００１８】
前記牽制シャフト５の中間区間に所定の長さの溝孔５１が形成されることにより、前記支承部２の突起柱２２の食い込みが許容されると共に、螺着部材５２にワッシャ５３を介装してから、螺着部材５２を突起柱２２に回転螺入させることによって、２本の牽制シャフト５は、左右側担持枠架４の間に、所定の範囲における前後移動が可能とされ、また牽制シャフト５の前向きの一端に一節の当着部５４が延設され、前記一節の当着部５４は、前記支承部２の一側の緩衝枠２５により適切に担持され、またその間に進退自在に介設され、当着部５４に近接する一端に、ばね２５３を掛止するための環状部５５が形成され、またばね２５３の他端が緩衝枠２５の一端に掛止することによって、牽制シャフト５を前向きの規制状態を常に保持させ、かつ握持レバー６の方向結合として、牽制シャフト５の後面近傍の一端に、継合環状具５７及び蓋体５８を嵌合するための管段５６が形成される。（支承部２及び覆設部３を備える前記左右側担持枠架４を牽制シャフト５に嵌合した後の相互位置決めは、複数本の螺着部材２６で方向締め付けを行い、左右側担持枠架４と机天板１の底部の両側との取り付けは、複数本の螺着部材３４で覆設部３を貫通すると共に、机天板１の相応部位に締め付ける。図３参照）
【００１９】
前記入字形机脚７の上向きの一端に一節の連接部７１が形成され（図２参照）、連接部７１の周縁の所定の区間に少なくとも２本またはそれ以上の凹部７２が凹設されることにより、牽制シャフト５の一端の当着部５４が適時に方向食い込むのを許容すると共に、連接部７１の層面の中間部位に孔７３が貫設され、また所定の範囲に相応する２本の弧形溝７４が形成されることにより、連接部７１を前記覆設部３の間に嵌合するのを許容して、２つの部品の相応する孔３２，７３／または条溝７４（ここで、孔７３の両側には、一節のブッシュ７３１を嵌合するのを許容する）を複数本のピンシャフト３３により貫通するようにし、及び前記複数本のピンシャフト３３の各本の両外側にＣ字形釦３４１で方向制限するようにし、さらに入字形机脚７の一端の連接部７１を嵌合するのを許容する覆設部３の両傍の枠縁３１は、側蓋３５の内近傍部位に延設された複数本の凸部３５１と合わせて方向食い込みを行うことができる。
【００２０】
前記補助連結具８の上向きの一側は、机天板１の底部に凭れ掛けられ、また螺着部材８１により机天板１の相応部位に締め付けを施し（図３参照）、一方、補助連結具８の下向きの一側は、第２連結部８２が枢設されることにより（ここで、机天板１の底部に取り付けられた補助連結具８の一端と第２連結部８２は、ピンシャフト／または螺着部材８３で方向枢支するようにする）、前幕板１１の背部に凭れ掛けられると共に、螺着部材８４により前幕板１１の相応部位に締め付けを施し、かつ入字形机脚７の前面近傍の一側の所定の区間に一節のシャフト段８５が枢設されると共に、シャフト段８５の一端が第３連結部８６に可動結合されることにより（ここで、入字形机脚７の前面近傍の一側のシャフト段８５と第３連結部８６は、ピンシャフト／または螺着部材８７で方向枢支するようにする）、前幕板１１の背部の下付近部位に凭れ掛けられ、また螺着部材８８により前幕板１１の相応部位に締め付けを施す。
【００２１】
また、入字形机脚７の上向きの一端の連接部７１は、後面付近に隣接された部位の凹部７２の適宜間隔箇所に、適切な柔軟性を有する阻止ブロック７５を結合するのを許容して（図２参照）、相隣する左右側担持枠架４の間の支承部２の一側に切欠口２７が凹設されることにより、机天板１を正常に架設する場合には、支承部２を阻止ブロック７５を跨ぐように配置され、また机天板１を上向きに傾斜に折り畳む必要がある場合には、支承部２の切欠口２７に阻止ブロック７５が通過して上回転移動すると共に、互いに積み重ねた机天板１を搬入する時に適切な間隔置きに凭れ掛けるのを許容することにより（図１６参照）、机天板１の表面に擦り傷が生じることを避けることができる。
【００２２】
前記構成の角度調整ユニット９を机天板１と前幕板１１とを方向結合させた後（図４、図５、図６参照）、机天板１を折り畳む必要がある場合には、手で握持レバー６を外向きに引っ張ると（図７、図９参照）、２本の牽制シャフト５を左右側担持枠架４に沿って移動し出すように連動する（ここで、牽制シャフト５の移動は、左右側担持枠架４の間の支承部２の一端の突起柱２２の適切な制限範囲の制限を越えた時点で、外向きに移動し出す／または内向きに押し込む動作を停止する）と共に、牽制シャフト５の前端の当着部５４を入字形机脚７の一端の連接部７１の凹部７２から脱離するようにさせることにより（図８、図１０参照）、前記机天板１が自由状態に形成されると共に、上向きに所定の傾斜度で回転し（図１１、図１２参照）、握持レバー６を内向きに押し込むと、２本の牽制シャフト５を前移動させると共に、一端の当着部５４を相応方向の連接部７１の凹部７２に食い込ませることにより（図１３、図１４参照）、机天板１を所定の傾斜度で折り畳むと共に、確実な方向制限を保持することにより、単一／または複数台の前記机１０を傾斜に折り畳んだ後（図１５参照）、空間を邪魔しない箇所に積み重ねることができる。
【００２３】
底部に角度調整ユニット９が結合された机１０を展開して使用可能な状態になる必要がある場合には、例えば、前記の折り畳む動作を逆向きに実施することで、まず牽制シャフト５の前端の当着部５４を折り畳んだ部位の連接部７１の層面の前記凹部７２から脱離するようにさせてから、机天板１を水平状態になるまで下向きに回転させる。それから、牽制シャフト５の前端の当着部５４を連接部７１の相応方向の凹部に食い込ませることにより、確実な位置決めを示す。この場合、再び通常の机として使用することができる。
【符号の説明】
【００２４】
１                              机天板
１１                              前幕板
２                              支承部
２１，３１                枠縁
２２                              突起柱
２３                              規制側壁
２４                              制限凸部
２５                              緩衝枠
２５１                          枠架
２５１１，２５２１  凸部
２５２                          担持部
２５２２                      条溝
２５３                          ばね
２６，３４，５２，８１，８４，８８  螺着部材
２７                切欠口
３                                  覆設部
３２，７３                  孔
３３                              ピンシャフト
３４１                          Ｃ字形釦
３５                              側蓋
３５１                          凸部
４                                  左右側担持枠架
５                                  牽制シャフト
５１                              溝孔
５３                              ワッシャ
５４                              当着部
５５                              環状部
５６                              管段
５７                              継合環状具
５８                              蓋体
６                                  握持レバー
７                                  入字形机脚
７１                              連接部
７２                              凹部
７３１                          ブッシュ
７４                              弧形溝
７５                阻止ブロック
８                                  補助連結具
８２                              第２連結部
８３，８７                  ピンシャフト／または螺着部材
８５                              シャフト段
８６                              第３連結部
９                                  角度調整ユニット
１０                              机
【図１】
2015139662.tif 000003
【図２】
2015139662.tif 000004
【図３】
2015139662.tif 000005
【図４】
2015139662.tif 000006
【図５】
2015139662.tif 000007
【図６】
2015139662.tif 000008
【図７】
2015139662.tif 000009
【図８】
2015139662.tif 000010
【図９】
2015139662.tif 000011
【図１０】
2015139662.tif 000012
【図１１】
2015139662.tif 000013
【図１２】
2015139662.tif 000014
【図１３】
2015139662.tif 000015
【図１４】
2015139662.tif 000016
【図１５】
2015139662.tif 000017
【図１６】
2015139662.tif 000018
【手続補正書】
【提出日】平成27年5月8日(2015.5.8)
【手続補正１】
【補正対象書類名】特許請求の範囲
【補正対象項目名】請求項１
【補正方法】変更
【補正の内容】
【請求項１】
調整可能な角度を有する机の構造であって、
机天板（１）の底部に結合された角度調整ユニット（９）は、左右側担持枠架（４）と、２本の牽制シャフト（５）と、握持レバー（６）と、入字形机脚（７）と、２つの補助連結具（８）と、前幕板（１１）とから構成され、
前記机天板（１）の底部の両側に、前記左右側担持枠架（４）が取り付けられ、前記左右側担持枠架（４）の間に前記２本の牽制シャフト（５）の可動嵌合が許容され、
前記左右側担持枠架（４）は、下近傍部位に設けられた支承部（２）と、上近傍部位に設けられた覆設部（３）とから構成され、前記支承部（２）の所定の区間の両傍に枠縁が形成され、また前記所定の区間の間に上向きに一節の突起柱が形成されることにより、前記２本の牽制シャフト（５）の安定嵌合が図られると共に、前記支承部（２）の一側に左右規制側壁が形成され、また前記左右規制側壁の中間区間から前面に延出する一節の制限凸部が突設されることにより、その間に前記２本の牽制シャフト（５）の前端を担持するための緩衝枠（２５）の架設が許容され、前記覆設部（３）の両傍に下向きに枠縁が延設され、また両傍の枠縁の間の所定の部位に、複数個の孔が形成されることにより、前記入字形机脚（７）を前記覆設部の枠縁の間に嵌合するのを許容して、前記覆設部（３）と前記入字形机脚（７）の相応する孔を複数本のピンシャフトにより貫通するようにし、
前記２本の牽制シャフト（５）の中間区間に所定の長さの溝孔（５１）が形成されることにより、前記支承部（２）の前記一節の突起柱（２２）の食い込みが許容されると共に、螺着部材にワッシャを介装してから、前記螺着部材を前記一節の突起柱に回転螺入させることによって、前記２本の牽制シャフト（５）は、前記左右側担持枠架（４）の間に、所定の範囲における前後移動が可能とされ、また前記２本の牽制シャフト（５）の前向きの一端に一節の当着部（５４）が延設され、前記一節の当着部（５４）は、前記支承部（２）の一側の前記緩衝枠（２５）により適切に担持され、また前記緩衝枠（２５）の間に進退自在に介設され、前記一節の当着部（５４）に近接する一端に、ばね（２５３）を掛止するための環状部（５５）が形成され、またばね（２５３）の他端が前記緩衝枠（２５）の一端に掛止することによって、前記２本の牽制シャフト（５）を前向きの規制状態を常に保持させ、かつ握持レバー（６）の方向結合として、前記２本の牽制シャフト（５）の後面近傍の一端に、継合環状具（５７）及び蓋体（５８）を嵌合するための管段（５６）が形成され、
前記入字形机脚（７）の長い方の脚の上向きの一端に一節の連接部（７１）が形成され、前記一節の連接部（７１）の周縁の所定の区間に少なくとも２本またはそれ以上の凹部（７２）が凹設されることにより、前記２本の牽制シャフト（５）の一端の前記一節の当着部（５４）が適時に方向食い込むのを許容すると共に、前記一節の連接部の層面の中間部位に孔が貫設され、また所定の範囲に相応する２本の弧形溝（７４）が形成されることにより、前記一節の連接部（７１）を前記覆設部（３）の間に嵌合するのを許容して、前記一節の連接部（７１）と前記覆設部（３）との相応する孔／または条溝を前記複数本のピンシャフトにより貫通するようにし、及び前記複数本のピンシャフトの各本の両外側にＣ字形釦で方向制限するようにし、
前記２つの補助連結具（８）の上向きの一側は、前記机天板（１）の底部に凭れ掛けられ、また前記螺着部材により前記机天板の相応部位に締め付けを施し、一方、前記２つの補助連結具（８）の下向きの一側は、第２連結部（８２）が枢設されることにより、前記前幕板（１１）の背部に凭れ掛けられると共に、前記螺着部材により前記前幕板（１１）の相応部位に締め付けを施し、かつ前記入字形机脚の前面近傍の一側の所定の区間に一節のシャフト段（８５）が枢設されると共に、前記一節のシャフト段の一端が第３連結部（８６）に可動結合されることにより、前記前幕板（１１）の背部の下付近部位に凭れ掛けられ、また前記螺着部材により前記前幕板（１１）の相応部位に締め付けを施し、
前記構成の前記角度調整ユニット（９）を前記机天板（１）と前記前幕板（１１）とを方向結合させ、前記机天板（１）を折り畳む必要がある場合には、手で前記握持レバー（６）を外向きに引っ張ると、前記２本の牽制シャフト（５）を左右側担持枠架（４）に沿って移動し出すように連動すると共に、前記２本の牽制シャフト（５）の前端の前記当着部（５４）を前記入字形机脚（７）の一端の前記一節の連接部（７１）の前記少なくとも２本またはそれ以上の凹部（７２）から脱離するようにさせることにより、前記机天板（１）が自由状態に形成されると共に、上向きに所定の傾斜度で回転し、前記握持レバー（６）を内向きに押し込むと、前記２本の牽制シャフト（５）を前移動させると共に、一端の前記一節の当着部（５４）を相応方向の前記連接部（７１）部の前記少なくとも２本またはそれ以上の凹部（７２）に食い込ませることにより、前記机を、前記机天板（１）が前記入字型脚（７）の前記長い方の脚と略平行になり、かつ、前記前幕板（１１）の一部が前記机天板（１）の底部と重なるように折り畳むと共に、確実な方向制限を保持することにより、単一／または複数台の前記机を傾斜に折り畳んだ後、空間を邪魔しない箇所に積み重ねることを特徴とする、調整可能な角度を有する机の構造。